(57)【特許請求の範囲】
【請求項１】
表示板を支持するために用いられる支柱のための支持台であって、
頂面および底面を有するベース部材と、該ベース部材に取り付け可能の筒部材とからなり、
前記ベース部材はその頂面の一部を規定する隆起部と該隆起部を貫通しかつその頂面および底面に開放する縦孔であって前記底面に連なる大径部を有する縦孔とを備え、前記隆起部は前記ベース部材の頂面に沿って伸びる横孔であって前記支柱の一端部を受け入れ可能である横孔を有し、
前記筒部材は前記縦孔に挿通可能である筒状の本体と、該本体の下端部に設けられた、前記縦孔の大径部に締嵌可能のフランジ部とを備え、前記本体は、前記支柱の一端部に対して直角に折り曲げられ上方へ伸びる他端部のための挿通孔と、前記本体の下端からその上端まで伸びかつ前記挿通孔に連なるスリットであって前記支柱の一端部が横断可能のスリットとを有する、支持台。
【請求項２】
前記ベース部材は、さらに、前記横孔に連なりかつ前記ベース部材の頂面に開放する、前記支柱の一部を受け入れ可能の溝を有する、請求項１に記載の支持台。
【請求項３】
前記縦孔は、さらに、前記大径部に連なる、前記ベース部材の底面の側から頂面の側に向けて直径が漸減する減径部を有し、前記筒部材はさらに前記減径部に嵌合可能の、周方向に互いに間隔をおいて配置された複数のリブを有する、請求項１に記載の支持台。
【請求項４】
前記筒部材の挿通孔は、前記支柱の太さより大きい隙間を規定する一部を有する、請求項１に記載の支持台。
【請求項５】
請求項１〜４のいずれか１つに記載された支持台と、該支持台に支持された、直角に折り曲げられた一端部および他端部を有する支柱とを含む、表示板の支持具。
【発明の詳細な説明】
【０００１】
【発明の属する技術分野】
本発明は、表示板を支持するために用いられる支持具に関する。
【０００２】
【従来の技術】
従来、草花、樹木等の名前や由来が表示された表示板を支持するため、これを針金のような支柱に取り付け、該支柱を、床面上に載置されまたは地中に埋設される支持台に設けられた穴に差し込んでなる支持具が用いられている。
【０００３】
これによれば、支持台への支柱の取付を簡単に行うことができる。しかし、その反面、支柱が支持台の穴から抜け出し、分離しやすいという欠点がある。
【０００４】
【発明が解決しようとする課題】
本発明の目的は、表示板を支持するための支柱の取付が容易でありかつ支柱が分離しにくい支持台を提供し、また、このような支持台を備える表示板の支持具を提供することにある。
【０００５】
【課題を解決するための手段】
本発明は、表示板を支持するために用いられる支柱のための支持台と、前記支柱および支持台を備える支持具とを提供する。前記支持台は、頂面および底面を有するベース部材と、該ベース部材に取り付け可能の筒部材とからなる。前記ベース部材はその頂面の一部を規定する隆起部を備え、該隆起部は前記ベース部材の頂面に沿って伸びる横孔を有する。横孔は前記支柱の一端部を受け入れ可能であり、また、前記筒部材は前記支柱の一端部に対して直角に折り曲げられた他端部のための挿通孔を規定する。
【０００６】
前記ベース部材は、さらに、その隆起部を貫通しかつその頂面および底面に開放する縦孔であって前記底面に連なる大径部を有する縦孔を備える。また、前記筒部材は前記縦孔に挿通可能の筒状の本体と、該本体の下端部に設けられた、前記縦孔の大径部に締嵌可能のフランジ部とを備え、前記筒部材の本体はその下端からその上端まで伸びかつ前記挿通孔に連なる、前記支柱の一端部が横断可能のスリットを有する。
【０００７】
前記ベース部材は、さらに、前記横孔に連なりかつ前記頂面に開放する、前記支柱の一部を受け入れ可能の溝を有するものとすることができる。
【０００８】
前記縦孔は、さらに、前記大径部に連なる、前記ベース部材の底面の側から頂面の側に向けて直径が漸減する減径部を有し、前記筒部材はさらに前記減径部に嵌合可能の、周方向に互いに間隔をおいて配置された複数のリブを有するものとすることができる。
【０００９】
また、前記筒部材の挿通孔は、前記支柱の太さより大きい隙間を規定する一部を有するものとすることができる。
【００１０】
【発明の作用および効果】
本発明によれば、支柱を支持するための支持台がベース部材と、該ベース部材に取り付け可能の筒部材とからなり、前記ベース部材の頂面の一部を規定する隆起部が前記支柱の一端部を受け入れ可能の横孔を有し、また、前記筒部材が前記支柱の一端部に対して直角に折り曲げられた他端部のための挿通孔を規定することから、支柱の一端部をベース部材の隆起部の横孔に入れ、支柱の他端部が通された筒部材を前記ベース部材に取り付けることにより、ベース部材への支柱の取付を容易に行うことができる。
【００１１】
前記ベース部材に取り付けられた筒部材はその挿通孔を経て伸びる支柱の他端部を直立するように支持すると共に、隆起部の横孔からの支柱の一端部の抜け出しを阻止する。これにより、支柱は支持台から分離しないようにこれに支持される。
【００１２】
支柱は、例えば、折り曲げ可能の針金からなるものとし、その一端部をベース部材の隆起部の横孔に差し入れ、その残部を立ち上げるように力を加えと、梃子の原理により、横孔の端部で容易に折れ曲がり、一端部に対して直角な他端部が形成される。また、これにおり、支柱の折り曲げのための工具の使用を不要とすることができる。
【００１３】
筒部材を筒状の本体とその下端に連なるフランジ部とで構成し、また、ベース部材にその底面に開放する大径部を有する縦孔を設けるときは、筒部材の本体をベース部材の縦孔に通し、そのフランジ部を縦孔の大径部に堅く嵌合させることにより、ベース部材に対する筒部材の取付を容易かつ短時間に行うことができ、また、強固な取付関係を得ることができる。縦孔への本体の挿通の際、先に隆起部の横孔に通された支柱の一端部が本体のスリットを横切り、かつ、支柱の折り曲げられた他端部が本体の挿通孔内にこれに沿って伸びるように受け入れられる。
【００１４】
横孔に連なる溝は、前記横孔を経て伸びる支柱の一端部の先端部分をベース部材の表面上に突出しないように収容する空間として利用することができる。
【００１５】
また、縦孔にその大径部に連なる減径部を設けかつこれに嵌合可能の複数のリブを筒部材に設けることにより、ベース部材に対する筒部材の取付状態をより強固に維持することができる。
【００１６】
さらに、筒部材の挿通孔の一部について、支柱の太さよりわずかに大きい隙間を規定するものとすることにより、筒部材の挿通孔を垂直に伸びる支柱の他端部の前記挿通孔内における横方向移動を制限し、そのぐらつきを少なくすることができる。
【００１７】
【発明の実施の形態】
図１を参照すると、草花、樹木等の名前や由来を表示するための表示板１０が支持具１１により支持されている。より詳細には、表示板１０は、針金のような折り曲げ可能の材料からなる支柱１２に支持され、支柱１２は支持台１４に支持されている。
【００１８】
図示の表示板１０は単板からなる。草花、樹木等の名前や由来は、前記単板に直接に表わされ、あるいは、これらを表わした紙片やフィルムが前記単板の表面に張り付けられる。「表示板」は、前記単板からなるものに限られない。他の例として、例えば、前記紙片やフィルムを載せるための板状の本体とこれを覆う透明なカバーとからなるものがある。
【００１９】
表示板１０は、図示の例では、支柱１２の螺旋状に形成された上端に差し込まれ、これにより支柱１２に支持されている。
【００２０】
支柱１２はほぼ直角に折り曲げられており、横に伸びる比較的短い一端部１６と、上下に伸び、前記上端を規定する比較的長い他端部１８とを有する。
【００２１】
図２に示すように、支持台１４は、例えば共にプラスチック材料製のベース部材２０と筒部材２２とからなる。
【００２２】
支持台１４は、その使用時、床面上に載置されあるいは地中に埋設される。
【００２３】
ベース部材２０は、例えば矩形、楕円形、図示の例における円形のような任意の平面形状を有する板体またはブロック体からなり、頂面２４および底面２６を有する。ベース部材２０は、支持すべき支柱１２の長さ、表示板１０の大きさおよび重さ等を考慮して、その大きさ、形状等を定めることができる。
【００２４】
ベース部材２０にはこれを貫通し、その頂面２４および底面２６にそれぞれ開放するする孔（縦孔）２８（図２および図３）が設けられている。縦孔２８はベース部材２０と共通の軸線を有する。
【００２５】
他方、筒部材２２は筒状の本体３０と、本体３０の一端（下端）に連なりかつこれを取り巻くフランジ部３２とを備える。
【００２６】
ベース部材の縦孔２８は筒部材の本体３０の外径よりわずかに大きい直径を有し、これにより筒部材の本体３０の挿通が可能とされている。
【００２７】
他方、筒部材の本体３０は、支柱の他端部１８が挿通可能である、該他端部の外径より大きい大径の貫通孔（挿通孔）３４を有する。さらに、本体３０は支柱の一端部１６が横断可能である、本体３０の一端（下端）から他端（上端）まで伸びるスリット３５を有する。
【００２８】
また、ベース部材の縦孔２８は、ベース部材の底面２６に連なる大径部３６（図３）を有する。筒部材のフランジ部３２はこの大径部３６に締嵌可能、すなわち堅く嵌合可能の直径と厚さ寸法とを有する。
【００２９】
筒部材２２は、その本体３０をベース部材の縦孔２８にその底面２６の側から通しかつフランジ部３２を縦孔の大径部３６に嵌合させることにより、ベース部材２０に取り付けることができる。
【００３０】
ベース部材２０は、また、その頂面２４の一部を規定する隆起部３８を備える。ベース部材の縦孔２８は隆起部３８を貫通している。
【００３１】
図示の隆起部３８はベース部材２０の軸線を取り巻く全体に扁平な円筒状を呈し、ベース部材の縦孔２８の一部を規定する。隆起部３８には、支柱１２の一部を挿通可能である、半径方向へ伸びる１つの切り欠き４０が設けられている。
【００３２】
隆起部３８は、さらに、その半径方向へ頂面２４に沿って伸びる孔（横孔）４２（図３）を有する。図示の横孔４２は隆起部３８の側壁を貫通している。
【００３３】
ベース部材２０には、さらに、その頂面２４に開放する２つの溝４４，４６が設けられている。図示の例では、これらの溝４４および溝４６は、それぞれ、隆起部の横孔４２および切り欠き４０に連なり、ベース部材２０の直径方向へ伸びている。
【００３４】
横孔４２に連なる一方の溝４４はベース部材２０の外形を規定する周縁の手前で終端し、その一部が裏面２６にも開放している。また、切欠き４０に連なる他方の溝４６は、前記周縁で終端している。
【００３５】
図示の例に代えて、一方の溝４４が他方の溝４６と同様に前記周縁で終端し、また、他方の溝４６が一方の溝４４と同様に前記周縁の手前で終端するにように設定することができるが、後述するこれらの溝の機能上、図示の例のように設定することが望ましい。また、一方の溝４４は、その全部が、ベース部材の頂面２４および底面２６のいずれか一方のみに開放するものとすることができる。
【００３６】
また、隆起部の横孔４２はベース部材の縦孔２８と連通しており、他方の溝４６は隆起部の切り欠き４０を介して縦孔２８に連なっている。
【００３７】
隆起部の横孔４２および一方の溝４４はそれぞれ支柱の一端部１６を受け入れ可能の直径および幅寸法を有する。
【００３８】
また、隆起部の切り欠き４０および他方の溝４６はそれぞれ支柱の他端部１８（より詳細には折り曲げられる前の他端部１８）を受け入れ可能の幅寸法を有する。
【００３９】
図１に示す状態で見て、支柱の一端部１６は隆起部の横孔４２を経て溝４４内をその閉鎖端に突き当るまで伸びており、これらの内部に受け入れられている。また、支柱の折り曲げられた他端部１８は、隆起部の縦孔２８、より詳細には該縦孔に嵌め込まれた筒部材の挿通孔３４を経て上方へ伸びている。
【００４０】
これにより、支柱の他端部１８が筒部材２２を介してベース部材２０に垂直に支持されている。また、他端部１８を筒部材の挿通孔３４内に拘束することにより、支柱の一端部１６が隆起部の横孔４２から抜け出ないように規制され、支持台１４からの支柱１２の抜け出しおよびこれに伴う分離が阻止されている。
【００４１】
筒部材の挿通孔３４は、支柱の直径よりも大きい任意の大きさに設定することができるが、挿通孔３４内における支柱の他端部１８のぐらつき、すなわち挿通孔３４内における半径方向移動を制限するため、図４および図５に示すように、挿通孔３４の一部４７を、他の部分より狭小なものとすることが望ましい。
【００４２】
図示の例では、挿通孔の一部４７が該挿通孔の約下半分をなし、支柱１８の直径よりわずかに大きい隙間を規定している。図示の一部４７は、円形の横断面形状を有する挿通孔３４の上半分に対し、全体に細長い矩形の横断面形状を有し、その幅寸法はスリット３５の幅寸法よりわずかに小さいものに設定されている。挿通孔の一部４７は、図示の例に代えて、挿通孔３４の上下方向に関して他の位置、例えば中央部、上部等に設け、また、任意の上下方向長さ寸法とし、さらに他の任意の横断面形状を有するものとすることができる。
【００４３】
支持台１４は次のようにして組み立て、また、支柱１２を支持台１４で支持し、さらに、表示板１０を支持することができる。
【００４４】
まず、まっすぐな状態の支柱１２の先端部を隆起部の横孔４２および一方の溝４４に通す。これらの横孔４２および溝４４への支柱先端部の挿通は、該先端部をベース部材の他の溝４６および隆起部の切り欠き４０に差し入れ、これらのガイド作用下で行うことができる（図２に鎖線で示す支柱１２を参照）。
【００４５】
次に、他の溝４６から突出する支柱１２の残りの部分を矢印４８の方向へ立ち上げる。これは、梃子の原理を利用して、ベース部材の縦孔２８または横孔４２の縁部を支点とする支柱１２の折り曲げ容易にまた工具を用いることなく行うことができる。
【００４６】
このようにして支柱１２をほぼ直角に折り曲げた後、ベース部材の底面２６の側から縦孔２８に筒部材の本体２２を通す。このとき、横孔４２から縦孔２８内に突出している支柱の一端部１６の折れ曲がり部分が本体のスリット３５に受け入れられかつ支柱の他端部１８が本体の挿通孔３４に受け入れられる。これにより、支柱の他端部１８が筒部材の挿通孔３４に通される。
【００４７】
その後、筒部材の本体２２の下端に連なるフランジ部３２をベース部材の底面２６に開放する縦孔の大径部３６に嵌合させる。これにより、筒部材２２がベース部材２０に取り付けられ、筒部材２２を介して、支柱１２が支持台１４に支持される。
【００４８】
図３に示すように、ベース部材の縦孔２８を規定する部分として、その大径部３６に連なる減径部５０を設けかつ筒部材２２に減径部５０に嵌合可能である複数のリブ５２（図２参照）を設けることが望ましい。
【００４９】
減径部５０の一部（上部）は隆起部３８により規定されている。減径部５０の直径はベース部材の底面２６の側から頂面２４の側に向けて漸減している。
【００５０】
また、複数のリブ５２はそれぞれ直角三角形の外形を有し、筒部材の本体３０の周囲に互いに間隔をおいて配置され、前記直角三角形の互いに直交する２辺に相当する部分においてそれぞれ本体３０とフランジ部３２とに連なっている。
【００５１】
筒部材２２がベース部材２０に取り付けられたとき、各リブ５２（より詳細には前記直角三角形の斜辺に相当する部分）が減軽部５０の壁面に接する。これにより、ベース部材２０に対する筒部材２２の取付状態がより強固にされかつ補強される。
【００５２】
ところで、隆起部３８は、これを円筒体からなるものとする図示の例に代えて、例えば前記円筒体の一部分（弧状部分）のみからなるものとしてもよい。
【００５３】
前記隆起部は、また、任意の形状のブロック体からなるものとすることができる。この場合には、前記隆起部に設けられる横孔４２を非貫通孔とし、また、一方の溝４４の形成を不要とすることができる。また、この場合、筒部材２２は、その本体３０と、該本体の下端部側方に連なる部分であって前記隆起部に覆い被さりかつこれと堅く嵌合可能である嵌合部分（図示せず）とからなるものとすることができる。この場合、フランジ部３２は不要である。さらに、本体３０にスリット３５を設けることおよびベース部材に縦孔２８を設けることをそれぞれ不要とすることができる。なお、隆起部３８は、ベース部材２０の中央以外の任意の箇所に設けてもよい。
【図面の簡単な説明】
【図１】  支持台と、これに支持された支柱と、支柱に支持された表示板とを示す斜視図である。
【図２】  支持台の分解斜視図である。
【図３】  支持台のベース部材をその底面側から見た斜視図である。
【図４】  筒部材の他の例を示す斜視図である。
【図５】  図４に示す筒部材の縦断面図である。
【符号の説明】
１０  表示板
１１  支持具
１２，１６，１８  支柱、その一端部およびその他端部
１４，２０，２２  支持台、そのベース部材およびその筒部材
２４，２６  ベース部材の頂面および底面
２８，３６，５０  ベース部材の縦孔、その大径部およびその減径部
３０，３２  筒部材の本体およびフランジ部
３４，３５  筒部材の貫通孔およびスリット
３８，４２  隆起部およびその横孔
４４，４６  ベース部材の溝
【図１】
0003829072.tif 000002
【図２】
0003829072.tif 000003
【図３】
0003829072.tif 000004
【図４】
0003829072.tif 000005
【図５】
0003829072.tif 000006